(57)【要約】      （修正有）【課題】払い出させる商品や景品といった物品のバラエティを富ませ、娯楽性を向上させる物品払出装置を提供する。【解決手段】物品を封入可能な物品カプセルＣｓ、Ｃｍ及びＣｌを収容する複数の物品収容室２０ｃ、ｅ、ｈと、プレイヤーの操作に基づき複数の物品収容室のいずれか一つから選択的に物品カプセルを所定の払出口５０ｃから搬出させる物品搬出手段として、複数の物品収容室の各々に配設された、所定の搬出口Ｈ２６ｃ、ｅ、ｈ及び物品カプセルを搬出口まで搬送する搬送テーブル２４ｃ、ｅ、ｈと、複数の物品収容室の各々の搬出口から払出口まで連通する払出通路とを有し、搬送テーブルは、大きさの異なる複数の物品カプセルのいずれか一種類に適合可能である。【選択図】図２
0003227960.tif 000002
【実用新案登録請求の範囲】
【請求項１】
物品を封入可能な物品カプセルを収容する複数の物品収容室と、
プレイヤーの操作に基づき前記複数の物品収容室のいずれか一つから選択的に前記物品カプセルを所定の払出口から搬出させる物品搬出手段とを備え、
前記物品搬出手段は、
前記複数の物品収容室の各々に配設された、所定の搬出口及び前記物品カプセルを前記搬出口まで搬送する搬送テーブルと、
前記複数の物品収容室の各々の前記搬出口から前記払出口まで連通する払出通路とを有し、
前記搬送テーブルは、大きさの異なる複数の前記物品カプセルのいずれか一種類の物品カプセルに適合可能である、
物品払出装置。
【請求項２】
前記搬送テーブルは、前記物品カプセルが位置決め固定されるとともに前記搬出口に連通可能なテーブル位置決め孔を有し、
前記テーブル位置決め孔は、前記テーブル位置決め孔に位置決め固定される物品カプセルよりも小さい物品カプセルが位置決め固定されるとともに前記搬出口に連通可能なアダプタ位置決め孔を有するアダプタが装着可能である、
請求項１に記載の物品払出装置。
【請求項３】
前記物品搬出手段は、
前記プレイヤーの操作に基づき前記複数の物品収容室のいずれか一つを選択するための選択入力部を有し、
前記選択入力部は、前記複数の物品収容室の選択動作に応じたクリック感を伴う回転方向の入力を受付ける、
請求項１又は２に記載の物品払出装置。
【請求項４】
前記選択入力部は、前記複数の物品収容室から選択したいずれか一つの物品収容室からの前記物品カプセルを払い出すために、その回転軸の方向に沿った入力を受付ける、
請求項３に記載の物品払出装置。
【請求項５】
請求項２に記載の物品払出装置の、前記搬送テーブルの前記テーブル位置決め孔に装着可能なアダプタであって、
前記搬送テーブルの前記テーブル位置決め孔に位置決め固定される物品カプセルよりも小さい物品カプセルが位置決め固定されるとともに前記搬出口に連通するアダプタ位置決め孔を有する、
アダプタ。
【請求項６】
請求項５に記載のアダプタの前記アダプタ位置決め孔に位置決め固定される物品カプセルよりも小さい物品カプセルが位置決め固定されるとともに前記アダプタ位置決め孔に連通するサブアダプタ位置決め孔を有する、
サブアダプタ。
【考案の詳細な説明】
【技術分野】
【０００１】
本考案は、例えばカプセルに封入された景品をプレイヤーの操作により払出させる、ゲームや商品の販売を提供可能な物品払出装置に関する。
【背景技術】
【０００２】
従来、商品や景品が封入されたカプセルを筐体に収容して、硬貨を投入してハンドルを回す等の操作でカプセルを払い出させる手動式の販売装置（例えば特許文献１を参照）が知られている。
【先行技術文献】
【特許文献】
【０００３】
【特許文献１】特開２０１３−１４９２２９号公報
【考案の概要】
【考案が解決しようとする課題】
【０００４】
しかしながら、上記従来の販売装置には、以下のような課題があった。すなわち、当該販売装置が払出可能な商品又は景品は、筐体から払い出されるカプセルの寸法の制約をうけるため、バラエティに乏しく、娯楽性を満足させるものとは言えなかった。
【０００５】
本考案は、上記の課題に鑑みてなされたものであり、払い出させる商品や景品といった物品のバラエティを富ませ、娯楽性を向上させた物品払出装置を提供することを目的とする。
【課題を解決するための手段】
【０００６】
上記の目的を達成するために、本考案の第１の側面は、物品を封入可能な物品カプセルを収容する複数の物品収容室と、プレイヤーの操作に基づき前記複数の物品収容室のいずれか一つから選択的に前記物品カプセルを所定の払出口から搬出させる物品搬出手段とを備え、前記物品搬出手段は、前記複数の物品収容室の各々に配設された、所定の搬出口及び前記物品カプセルを前記搬出口まで搬送する搬送テーブルと、前記複数の物品収容室の各々の前記搬出口から前記払出口まで連通する払出通路とを有し、前記搬送テーブルは、大きさの異なる複数の前記物品カプセルのいずれか一種類の物品カプセルに適合可能である、物品払出装置である。
【０００７】
これにより、一つの装置から払出させる物品のバラエティを富ませ、娯楽性を向上させることが可能となる。
【０００８】
本考案の第２の側面は、前記搬送テーブルは、前記物品カプセルが位置決め固定されるとともに前記搬出口に連通可能なテーブル位置決め孔を有し、前記テーブル位置決め孔は、前記テーブル位置決め孔に位置決め固定される物品カプセルよりも小さい物品カプセルが位置決め固定されるとともに前記搬出口に連通可能なアダプタ位置決め孔を有するアダプタが装着可能である、本考案の第１の側面の物品払出装置である。
【０００９】
これにより、簡易な構成で一つの装置から払出させる物品のバラエティを富ませることが可能となる。
【００１０】
本考案の第３の側面は、前記物品搬出手段は、前記プレイヤーの操作に基づき前記複数の物品収容室のいずれか一つを選択するための選択入力部を有し、前記選択入力部は、前記複数の物品収容室の選択動作に応じたクリック感を伴う回転方向の入力を受付ける、本考案の第１又は第２の側面の物品払出装置である。
【００１１】
これにより、カプセルの払出操作に遊戯性を付与して、娯楽性を向上させることが可能となる。
【００１２】
本考案の第４の側面は、前記選択入力部は、前記複数の物品収容室から選択したいずれか一つの物品収容室からの前記物品カプセルを払い出すために、その回転軸の方向に沿った入力を受付ける、本考案の第３の側面の物品払出装置である。
【００１３】
これにより、カプセルの払出操作に遊戯性を付与しつつ、選択ミスの恐れを低減して所望のカプセルを確実に払い出させることが可能となる。
【００１４】
本考案の第５の側面は、本考案の第２の側面の物品払出装置の、前記搬送テーブルの前記テーブル位置決め孔に装着可能なアダプタであって、前記搬送テーブルの前記テーブル位置決め孔に位置決め固定される物品カプセルよりも小さい物品カプセルが位置決め固定されるとともに前記搬出口に連通するアダプタ位置決め孔を有する、アダプタである。
【００１５】
これにより、簡易な構成で一つの装置から払出させる物品のバラエティを富ませることが可能となる。
【００１６】
本考案の第６の側面は、本考案の第５の側面のアダプタの前記アダプタ位置決め孔に位置決め固定される物品カプセルよりも小さい物品カプセルが位置決め固定されるとともに前記アダプタ位置決め孔に連通するサブアダプタ位置決め孔を有する、サブアダプタである。
【００１７】
これにより、簡易な構成で一つの装置から払出させる物品のバラエティを更に富ませることが可能となる。
【考案の効果】
【００１８】
以上のような本考案は、払い出させる商品や景品といった物品のバラエティを富ませ、娯楽性を向上させることが可能になるという効果を奏する。
【図面の簡単な説明】
【００１９】
【図１】本考案の実施の形態１に係る物品払出装置の構成を示す斜視図
【図２】図２のＡ−Ａ断面に基づく本考案の実施の形態１に係る物品払出装置の構成を示す側面図
【図３】本考案の実施の形態１に係る物品払出装置の要部の構成を示す斜視図
【図４】本考案の実施の形態１に係る物品払出装置の構成を示すブロック図
【図５】本考案の実施の形態１に係る物品払出装置の要部の構成を示す斜視図
【図６】本考案の実施の形態１に係る物品払出装置の要部の構成を示す斜視図
【図７】本考案の実施の形態２に係る物品払出装置の要部の構成を示す斜視図
【図８】本考案の実施の形態２に係る物品払出装置の動作を説明するための図
【図９】本考案の実施の形態２に係る物品払出装置の動作を説明するための図
【考案を実施するための形態】
【００２０】
以下、本考案の実施の形態について、図面を参照しながら説明する。
【００２１】
（実施の形態１）
図１は、本考案の実施の形態１に係る物品払出装置の構成を示す斜視図である。なお、以下の説明において、図１に示す直交座標は本実施の形態に係る物品払出装置の前後、上下及び左右の各方向を定義し、以後の説明も適宜上記図中座標に示す方向を基準として行う。
【００２２】
図１に示すように、本実施の形態１の物品払出装置１は、外観の構成として、左右方向を長手方向とする矩形柱状の外形を有する物品払出室１０と、物品払出室１０の上方に配設され、前後左右のマトリックス状に配列された、玩具、雑貨等の物品を封入した合成樹脂製のカプセル（物品カプセル）を各々収容する物品収容室２０ａ〜２０ｈ及び後述するコンソール部３０とを備える。なお、以下に説明する物品収容室２０ａ〜２０ｈの配置はあくまで例示であって、本考案は物品払出室の具体的な個数及び配置の態様によって限定されるものではない。
【００２３】
物品収容室２０ａ〜２０ｈの配置は以下の通りである。すなわち、左から右に向かって、最上段に物品収容室２０ａ、２０ｂ及び２０ｃが配列され、中段においては物品収容室２０ａ及び２０ｃの直下に物品収容室２０ｄ及び２０ｅが配置され、最下段においては物品収容室２０ｄ及び２０ｈの直下に物品収容室２０ｆ及び２０ｈが配置される。
【００２４】
また、中段において物品収容室２０ｄと２０ｅとの間であって物品収容室２０ｂの直下には、物品収容室と同一寸法のコンソール部３０が設けられ、更にコンソール部３０の直下であって物品収容室２０ｆと２０ｈとの間には物品収容室２０ｇが配置される。
【００２５】
更に、物品払出室１０の正面には物品カプセルの払出口５０ａ〜５０ｃが左から右に順次配設される。払出口５０ａは物品収容室２０ａ、２０ｄ及び２０ｆから払い出される物品カプセルの取出口であり、払出口５０ｂは物品収容室２０ｂ及び２０ｇから払い出される物品カプセルの取出口であり、払出口５０ｃは物品収容室２０ｃ、２０ｅ及び２０ｈから払い出される物品カプセルの取出口である。なお、図示は省略したが、払出口５０ａ〜５０ｃの全部又は一部には、開閉自在な蓋を設けたものとしてもよい。
【００２６】
コンソール部３０は、物品払出装置１を操作するためのインタフェースであって、紙幣・硬貨等の現金の投入又はプリペイドカード等による電子決済による決済の入力を受付ける料金入力部３１、遊戯可能回数や決済の金額その他物品払出装置１の動作状態を示すディスプレイ３２、及びプレイヤーの操作入力を受付ける操作入力部４０の各々が配設される。
【００２７】
次に、図２及び図３を併せて参照して、物品払出装置１の内部構成を説明する。ただし、図２は、物品払出装置１の各々の物品収容室２０ａ〜２０ｈの例示として、図１のＡ−Ａ断面による内部構成を示す側面図であり、図３は同様の例示として、物品収容室２０ｈの構成を模式的に示す斜視図である。
【００２８】
物品払出装置１の各々の物品収容室２０ａ〜２０ｈにおいて、正面の壁体は、図３に示すように、アクリル板等の透明な部材により構成される、外部から開閉可能な透過壁Ｗとして構成されており、透過壁Ｗを通じて物品収容室２０ｈの内部空間２３ｈは外部から視認できるとともに、内部空間２３ｈにアクセスして、物品カプセルを補充することができるようになっている。
【００２９】
更に、物品収容室２０ｈの正面には透過壁Ｗの輪郭に沿って、ＬＥＤ照明灯等の照明器具により実現される、物品収容室２０ｈを電飾するイルミネーション部２１ｈが設けられる。
【００３０】
物品収容室２０ｃ、２０ｅ及び２０ｈの床板２６ｃ、２６ｅ及び２６ｈには、貫通孔である搬出口Ｈ２６ｃ、Ｈ２６ｅ及びＨ２６ｈが設けられるとともに、内部空間２３ｃ、２３ｅ及び２３ｈにそれぞれ収容された物品カプセルＣｓ、Ｃｍ及びＣｌを物品払出室１０の払出口５０ｃへ払い出させるための搬送テーブル２４ｃ、２４ｅ及び２４ｈが配設される。
【００３１】
図３に示す物品収容室２０ｈを例に取り、搬送テーブル２４ｈは、平面視において円形であって、貫通孔である複数の開口Ｈｌが中心から放射状に分散して設けられる。更に、搬送テーブル２４ｈは、その中心が、モータ等により実現される駆動部２５ｈからの駆動力を受けて回転する回転軸Ｓ２４ｈに同軸配置されることにより床板２６ｈの表面Ｆ上を回転可能となっている。
【００３２】
同様に、物品収容室２０ｅにおいては、開口Ｈｌよりも小さな内径を有する複数の開口Ｈｍが中心から放射状に分散して設けられている搬送テーブル２４ｅが、駆動部２５ｅにより駆動する回転軸Ｓ２４ｅに同軸配置されることにより床板２６ｅの表面Ｆ上を回転可能となっている。同様に、物品収容室２０ｃにおいては、開口Ｈｍよりも小さな内径を有する複数の開口Ｈｓが中心から放射状に分散して設けられている搬送テーブル２４ｃが、駆動部２５ｃにより駆動する回転軸Ｓ２４ｃに同軸配置されることにより床板２６ｃの表面Ｆ上を回転可能となっている。
【００３３】
物品収容室２０ｅ及び２０ｈの後方には、物品払出室１０の払出口５０ｃに連なる払出通路５１ｃと連通する払出通路２７ｅ及び２７ｈがそれぞれ配設される。
【００３４】
払出通路２７ｅは物品収容室２０ｅの天井から物品収容室２０ｃの床板２６ｃの搬出口Ｈ２６ｃと連通し、払出通路２７ｈは物品収容室２０ｈの天井から物品収容室２０ｅの床板２６ｅの搬出口Ｈ２６ｅと連通する。また、払出通路５１ｃは物品払出室１０の天井から物品収容室２０ｈの床板２６ｈの搬出口Ｈ２６ｈと連通する。
【００３５】
更に、払出通路２７ｅは、物品収容室２０ｃ内の搬送テーブル２４ｃの回転に応じて開口Ｈｓが床板２６ｃの搬出口Ｈ２６ｃと重なる位置において、物品収容室２０ｃの内部空間２３ｃと連通した状態におかれる。同様に、払出通路２７ｈは、物品収容室２０ｅ内の搬送テーブル２４ｅの回転に応じて開口Ｈｍが床板２６ｅの搬出口Ｈ２６ｅと重なる位置において、物品収容室２０ｅの内部空間２３ｅと連通した状態におかれる。同様に、払出通路５１ｃは、物品収容室２０ｈ内の搬送テーブル２４ｈの回転に応じて開口Ｈｌが床板２６ｈの搬出口Ｈ２６ｈと重なる位置において、物品収容室２０ｈの内部空間２３ｈと連通した状態におかれる。
【００３６】
更に、物品収容室２０ｈにおいて開口Ｈｌの上方であって、平面視で搬出口Ｈ２６ｈと重なる位置には干渉板２８ｈが設けられる。物品収容室２０ｅ及び２０ｈにおいても、各開口と搬出口とが対応する位置において、干渉板２８ｅ及び２８ｃがそれぞれ設けられる。
【００３７】
なお、物品収容室２０ａ、２０ｄ、２０ｆ及び払出口５０ａ並びにその周辺の構成は、上述した物品収容室２０ｃ、２０ｅ、２０ｈ及び払出口５０ｃ並びにその周辺の構成と同様である。また、物品収容室２０ｂ、２０ｇ及び払出口５０ｂ並びにその周辺の構成は、上述した物品収容室２０ｃ、２０ｅ、２０ｈ及び払出口５０ｃ並びにその周辺の構成において、払出通路２７ｅを除く物品収容室２０ｅの各部を省略し、物品収容室２０ｂ、物品収容室２０ｇ及び払出通路５０ｂが払出通路で接続された構成として実現される。
【００３８】
次に、図４は、物品払出装置１の制御動作を行う各部の構成を示すブロック図である。図４に示すように、制御部１０１は、汎用のＣＰＵ、メモリその他汎用のコンピュータ又はマイクロプロセッサにより実現され、テーブル駆動部１０３、情報表示部１０４及び装飾動作部１０５の動作を制御する手段である。料金入力部３１は、受付けた決済の金額をデータとして制御部１０１に出力する手段である。操作入力部４０は、図１に示すコンソール部３０上の操作つまみ４１からの信号を操作入力として受け、これを制御部１０１に出力して、物品払出装置１の動作を実行させる手段である。ここで物品払出装置１の動作とは、物品収容室２０ａ〜２０ｈの内からいずれか一つの物品収容室を選択する動作と、当該選択した物品収容室に対応する搬送テーブルを回転させる動作を指す。
【００３９】
メンテナンス作業入力部１０２は、コンソール部３０とは独立して外部からの制御部１０１への設定、操作等の入力を受付けるインタフェース（図１〜３においては図示省略）である。
【００４０】
テーブル駆動部１０３は、図２の駆動部２５ｃ、２５ｅ、２５ｈに例示され、物品収容室２０ａ〜２０ｈの各々の搬送テーブルを駆動させる手段である。情報表示部１０４は、コンソール部３０のディスプレイ３２に対応し、制御部１０１からのコマンドとしての信号に応じて、料金入力部３１への入力に応じた物品払出装置１の動作可能回数その他の情報を表示する手段である。装飾動作部１０５は、イルミネーション部２１ａ〜２１ｈ及び図示しない音声出力を行う装置として実現され、制御部１０１からのコマンドとしての信号に応じて、物品収容室２０ａ〜２０ｈを照らすとともに音声を出力する手段である。
【００４１】
以上の構成において、物品払出装置１は本考案の物品払出装置に相当し、物品収容室２０ａ〜２０ｈは本考案の複数の物品収容室に相当し、物品カプセルＣｌ、Ｃｍ及びＣｓは本考案の物品カプセルに相当する。また、払出通路２７ｅ、２７ｈ及び５１ｃその他の払出通路は本考案の払出通路に相当し、搬送テーブル２４ｃ、２４ｅ及び２４ｈその他の搬送テーブルは本考案の搬送テーブルに相当し、これらは本考案の物品搬出手段を構成する。また、搬送テーブル２４ｃ、２４ｅ及び２４ｈその他の搬送テーブルの開口Ｈｌは本考案のテーブル位置決め孔に相当し、搬出口Ｈ２６ｃ、Ｈ２６ｅ、Ｈ２６ｈその他の搬出口は本考案の搬出口に相当し、払出口５０ａ〜５０ｃは本考案の払出口に相当する。
【００４２】
以上の構成を有する本考案の実施の形態の物品払出装置１の基本的な動作は、以下の通りである。
【００４３】
プレイヤーが料金入力部３１に対して決済の入力を行うと料金入力部３１から受付けた金額（料金）に応じたデータが制御部１０１に出力される。制御部１０１は料金入力部３１から入力されたデータに基づき、操作入力部４０及びテーブル駆動部１０３の動作可能な回数を設定して、これを情報表示部１０４へ出力してディスプレイ３２上に数字として表示させる。
【００４４】
一方制御部１０１は、プレイヤーによる操作入力部４０への入力に基づき、物品収容室２０ａ〜２０ｈの中からいずれか一つを選択し、当該選択対象である物品収容室に対して動作を実行させる。物品収容室２０ｈを選択例に取り、選択された物品収容室に対応するテーブル駆動部１０３としての駆動部２５ｈを駆動させて、物品収容室２０ｈ内の搬送テーブル２４ｈを回転させる。物品収容室２０ｈ内の物品カプセルＣｌは搬送テーブル２４ｈの回転により攪拌され、開口Ｈｌと床板２６ｈの表面Ｆにより形成された凹みに嵌まり込んで位置決め固定された状態で、床板２６ｈ上の搬出口Ｈ２６ｈと一致する位置まで転動又は摺動しながら搬送される。
【００４５】
搬出口Ｈ２６ｈとの一致位置における内部空間２３ｈ内の他の物品カプセルの侵入は、干渉板２８ｈが干渉することにより防がれており、搬送テーブル２４ｈにより搬送された物品カプセルＣｌは、当該一致位置から払出通路５１ｃ内に単体で落下して、物品払出室１０の払出口５０ｃから外部へ払出される。これにより、プレイヤーは物品カプセルＣｌを獲得することができる。
【００４６】
最後に、制御部１０１は、操作入力部４０の動作可能な回数を、終了済の動作回数からデクリメントして、情報表示部１０４に表示させるとともに、動作可能な回数が０となるまで、操作入力部４０が操作を受付け可能な状態とする。操作の受付が不可能になった場合は、制御部１０１は、物品払出装置１の動作を終了する。なお、上述した一連の動作と並行して、制御部１０１は、装飾動作部１０５を動作させて、イルミネーション部２１ａ〜２１ｈによる照明又は音声を適宜出力することが好ましい。
【００４７】
以上のように、本実施の形態１の物品払出装置１は、プレイヤーに複数の物品収容室２０ａ〜２０ｈから所望の一つの物品収容室を選択して、当該選択した物品収容室に収容した物品カプセルを払い出させる。
【００４８】
更に、本実施の形態１の物品払出装置１は、物品収容室２０ａ〜２０ｈ毎に、収容する物品カプセルの寸法を異ならせて、搬送テーブルは、大きさの異なる複数の物品カプセルのいずれか一種類の物品カプセルに適合して搬送可能な構成としたことを特徴とする。すなわち、図５に示すように、本実施の形態１における搬送テーブル２４は、同一寸法の開口Ｈｌが回転中心２７から放射状に分散して設けられるとともに、開口Ｈｌに同軸配置されてこれと嵌合するとともに、開口Ｈｌと連通する開口Ｈｍを有するアダプタ６１、及びアダプタ６１の開口Ｈｍに同軸配置されてこれと嵌合するとともに、開口Ｈｍに連通する開口Ｈｓを有するサブアダプタ６２と組み合わされることにより、搬送テーブル２４により払出通路まで搬送される物品カプセルの寸法を異ならせるようにしている。
【００４９】
具体的には、単一の物品収容室に対して、搬送テーブル２４を単体で用いることにより開口Ｈｌに適合した物品カプセルＣｌを収容、払出させることができ、搬送テーブル２４とアダプタ６１とを組み合わせることにより、開口Ｈｌより小さな内径の開口Ｈｍに適合した、物品カプセルＣｌより小さな寸法の物品カプセルＣｍを収容、払出させることができる。更に、搬送テーブル２４とアダプタ６１及びサブアダプタ６２とを組み合わせることにより、開口Ｈｍより小さな内径の開口Ｈｓに適合した、物品カプセルＣｍより小さな寸法の物品カプセルＣｓを収容、払出させることができる。
【００５０】
なお、図５においては、説明のため、単一の搬送テーブル２４に対してアダプタ６１及びサブアダプタ６２の両方を組み合わせた例を示したが、上述したように、搬送テーブル２４の全ての開口は同一の内径を有するように揃えることが好ましい。すなわち、図２に示すように、物品収容室２０ｈは搬送テーブル２４ｈの全ての開口Ｈｌをそのまま用いるとともに物品カプセルＣｌを収容しており、物品収容室２０ｅは搬送テーブル２４ｅの全ての開口Ｈｌに対してアダプタ６１を組み合わせて開口Ｈｍを有するとともに物品カプセルＣｍを収容しており、物品収容室２０ｃは搬送テーブル２４ｃの全ての開口Ｈｌに対してアダプタ６１及びサブアダプタ６２を組み合わせて開口Ｈｓを有するとともに物品カプセルＣｓを収容した構成としている。
【００５１】
これにより、本実施の形態１の物品払出装置１は、物品カプセルの寸法に基づく制約を軽減して、大きさの異なる物品に対応して異なる大きさを有する複数種類の物品カプセルを一つの装置で扱うことができる。したがって、簡易な構成で一つの装置から払出させる物品のバラエティを富ませて、娯楽性を向上させることが可能となる。
【００５２】
なお、上記の説明において、アダプタ６１は本考案のアダプタに相当し、サブアダプタ６２は本考案のサブアダプタに相当する。また、アダプタ６１の開口Ｈｍは本考案のアダプタ位置決め孔に相当し、サブアダプタ６２の開口Ｈｓは本考案のサブアダプタ位置決め孔に相当する。
【００５３】
更に、図２及び図５に示す構成においては、アダプタ６１及びサブアダプタ６２は、搬送テーブル２４が有する複数の開口Ｈｌの個数に応じて複数設けるものとして説明を行ったが、本考案のアダプタ及びサブアダプタは、図６に示すアダプタ６３及びサブアダプタ６４のように、搬送テーブル２４の全ての開口Ｈｌ（Ｈｍ）に嵌り込む複数の嵌合部６３ａ（６４ａ）と、複数の嵌合部６３ａ（６４ａ）の根元と結合し、複数の嵌合部６３ａ（６４ａ）の各々と連通する複数の開口Ｈｍ（Ｈｓ）を有する基台部６３ｂ（６４）とを備えた構成としてもよい。これによれば、搬送テーブル２４の開口の寸法変更をより簡便な作業により行うことができ、メンテナンス時の作業性を向上させることが可能となる。
【００５４】
なお、図２、５及び６においては、アダプタ６１、サブアダプタ６２並びにアダプタ６３及びサブアダプタ６４の嵌合部６３ａ及び６４ａは、いずれも先端に向かって径が暫減するテーパを有するものとして示したが、円筒形状を有するものであってもよい。
【００５５】
（実施の形態２）
図７は、本考案の実施の形態２に係る物品払出装置の、本考案の選択入力部に相当する操作入力部４０の構成を示す斜視図である。ただし、図１〜６と同一又は相当する構成については、同一符号を付し詳細な説明は省略する。
【００５６】
図７に示すように、操作入力部４０において、操作つまみ４１は、プレイヤーの操作を直接受付け、操作つまみ４１に同軸接続されたコラム４２を介してスイッチ本体４３に当該操作に基づく入力を伝達する手段である。スイッチ本体４３は、図中矢印にて示すように、コラム４２の軸周りに沿った回転方向の入力及びコラム４２の軸方向に沿ったプッシュ入力の両方の入力を受付ける複合スイッチである。
【００５７】
図４に示す、操作入力部４０の入力を受ける制御部１０１は、コラム４２の回転方向の入力を、物品収容室２０ａ〜２０ｈのいずれか一つを選択するコマンドとして処理し、コラム４２の軸方向の入力を、回転方向の入力により選択された物品収容室２０ａ〜２０ｈのいずれかに属する搬送テーブル２４ａ〜２４ｈのいずれかを回転させるコマンドとして処理するとともに、これら処理に応じて装飾動作部１０５を動作させる。
【００５８】
再び図７を参照して、コラム４２には同軸配置された歯車４４が設けられる。歯車４４の歯数は物品収容室２０ａ〜２０ｈの個数と同一又は整数倍であって、歯車４４にはばね４５が弾性的に接触する。これにより、操作つまみ４１による回転操作が生じた際に、物品収容室２０ａ〜２０ｈは均等な周期で選択されるとともに、当該選択に同期したタイミングで歯車４４とばね４５との間に断続的な衝突による振動が生じ、これがクリック感としてコラム４２及び操作つまみ４１を通じてプレイヤーに伝達される。
【００５９】
本考案の実施の形態２の物品払出装置１は、以上の構成を有する操作入力部４０を備えたことにより、以下の効果を奏する。すなわち、操作入力部４０において、物品収容室２０ａ〜２０ｈのいずれかを選択する際の動作は、プレイヤーによる操作つまみ４１の回転操作であって、従来の手動式の払出装置の操作における歯車等の機械要素同士の組合せに基づく動作を模したクリック感が伴う動作として実行される。更に、回転操作に際しては、図８に示すように、装飾動作部１０５をなす、選択対象となった物品収容室２０ａ〜２０ｈのいずれかのイルミネーション部２１ａ〜２１ｈを、図中矢印のように、操作つまみ４１の回転動作に対応した回転パターンを描くように順次点灯させる。
【００６０】
これにより、プレイヤーは、マトリックス状に配置された物品収容室２０ａ〜２０ｈの選択を、臨場感を伴いつつ直感的に行うことができ、その結果、選択操作に遊戯性が付与され、装置の娯楽性を向上させることが可能となる。
【００６１】
更に、操作入力部４０において、物品収容部を選択した後の払出の操作は、プレイヤーによる操作つまみ４１のプッシュ動作として実行される。これにより、単一の操作つまみ４１により選択と払出の操作を実現し、物品カプセルの払出操作に遊戯性を付与しつつ、選択ミスの恐れを低減して所望の物品カプセルを確実に払い出させることが可能となる。
【００６２】
なお、上記の説明においては、操作つまみ４１の回転操作に伴うイルミネーション部２１ａ〜２１ｈは、操作つまみ４１の回転動作に対応した回転パターンであるとしたが、図９に示す左右に横断するパターン、その他任意の周期的なパターンであるとしてもよい。
【００６３】
更に、上記の説明においては、操作入力部４０は、単一の操作つまみ４１による回転操作及びプッシュ操作を受付けるものとしたが、回転操作とプッシュ操作を受付けるスイッチはそれぞれ別であるとしてもよい。
【００６４】
更に、上記の説明においては、操作入力部４０において、クリック感の発生は、コラム４２に同軸配置された歯車４４とばね４５との接触に基づくものとしたが、操作つまみ４１を介した機械的な入力とは独立させ、スイッチ本体４３から出力される信号のフィードバックにより基づき機械的又は電気的に発生させるものとしてもよく、例えばバイブレーターを発生源とすることができる。
【００６５】
以上のように、本考案の物品払出装置によれば、払い出させる商品や景品といった物品のバラエティを富ませ、娯楽性を向上させることが可能になる。
【００６６】
しかしながら、本考案は上記の実施の形態により限定されるものではない。
【００６７】
上記の説明においては、搬送テーブル２４等の開口Ｈｌ、Ｈｍ及びＨｓの変更は、アダプタ６１及びサブアダプタ６２のような別部品としてのアダプタによるものとしたが、本考案の搬送テーブルは単体で開口の内径を変更可能な構成であってもよい。
【００６８】
また、上記の説明においては、操作入力部４０はプレイヤーの回転操作を受付ける操作つまみ４１を備えたものとしたが、本考案における物品収容室の選択動作は、回転操作に限定されず、プッシュ入力を受付けるボタンその他任意のモーションの操作を受付けるスイッチにより実現するものであってもよい。
【００６９】
また、上記の説明においては、物品払出室１０は、物品収容室の縦列の個数に対応した払出口５０ａ〜５０ｃを備えるものとしたが、本考案の物品搬出手段は、複数の収容室のいずれか一つから選択的にカプセルを所定の払出口から搬出させることができればよく、収容室の配置や払出通路の具体的な構成によって限定されるものではなく、払出口の個数は任意であってよい。
【００７０】
要するに、本考案は、その要旨を逸脱しない範囲内であれば、以上説明したものを含め、上記実施の形態に種々の変更を加えたものとして実施してもよい。
【産業上の利用可能性】
【００７１】
以上のような本考案は、払い出させる商品や景品といった物品のバラエティを富ませ、娯楽性を向上させることが可能になるという効果を奏し、例えば物品入りカプセルを景品、商品とする物品払出装置への適用において有用である。
【符号の説明】
【００７２】
１  物品払出装置
１０  物品払出室
２０ａ〜２０ｈ  物品収容室
２１ａ〜２１ｈ  イルミネーション部
２３ｃ、２３ｅ、２３ｈ  内部空間
２４、２４ｃ、２４ｅ、２４ｈ  搬送テーブル
２５ｃ、２５ｅ、２５ｈ  駆動部
２６ｃ、２６ｅ、２６ｈ  床板
２７  回転中心
２７ｅ、２７ｈ、５１ｃ  払出通路
２８ｅ、２８ｈ  干渉板
３０  コンソール部
３１  料金入力部
３２  ディスプレイ
４０  操作入力部
４１  操作つまみ
４２  コラム
４３  スイッチ本体
４４  歯車
４５  ばね
５０ａ〜５０ｃ  払出口
６１、６３  アダプタ
６２、６４  サブアダプタ
６３ａ  嵌合部
６３ｂ  基台部
１０１  制御部
１０２  メンテナンス作業入力部
１０３  テーブル駆動部
１０４  情報表示部
１０５  装飾動作部
Ｃｌ、Ｃｍ、Ｃｓ  物品カプセル
Ｈ２６ｃ、Ｈ２６ｅ、Ｈ２６ｈ  搬出口
Ｈｌ、Ｈｍ、Ｈｓ  開口
Ｓ２４ｃ、Ｓ２４ｅ、Ｓ２４ｈ  回転軸
【図１】
0003227960.tif 000003
【図２】
0003227960.tif 000004
【図３】
0003227960.tif 000005
【図４】
0003227960.tif 000006
【図５】
0003227960.tif 000007
【図６】
0003227960.tif 000008
【図７】
0003227960.tif 000009
【図８】
0003227960.tif 000010
【図９】
0003227960.tif 000011